(57)【要約】【課題】本発明はポータブル自撮り補光ライトを開示した。【解決手段】ボックス本体を含み、前記ボックス本体の左端にはヒンジロッドが固定的に設置され、前記ヒンジロッドにはヒンジ軸が上下に対称的にヒンジにより連結され、前記ヒンジ軸の左端にはボックス蓋が固定的に設置され、前記ボックス本体の右端には開口している第一空きチャンバが設置され、前記第一空きチャンバの右端壁には第一永久磁石が固定的に設置され、前記ボックス蓋には前記第一永久磁石と引き合っている第二永久磁石が上下に対称的に固定的に設置され、前記ボックス本体の底端には押し通電装置が設置され、前記ボックス蓋の左端端壁には左方に開口した第二空きチャンバが設置される。【選択図】図１
2020177211.tif 000002
【特許請求の範囲】
【請求項１】
正面視で、ボックス本体を含み、前記ボックス本体の左端にはヒンジロッドが固定的に設置され、前記ヒンジロッドにはヒンジ軸が上下に対称的にヒンジにより連結され、前記ヒンジ軸の左端にはボックス蓋が固定的に設置され、前記ボックス本体の右端には開口している第一空きチャンバが設置され、前記第一空きチャンバの右端壁には第一永久磁石が固定的に設置され、前記ボックス蓋には前記第一永久磁石と引き合っている第二永久磁石が上下に対称的に固定的に設置され、前記ボックス本体の底端には押し通電装置が設置され、前記ボックス蓋の左端端壁には左方に開口した第二空きチャンバが設置され、前記前記第二空きチャンバには第三空きチャンバが連通するように設けられ、前記第二空きチャンバの右端壁の中には第四空きチャンバが設けられ、前記第二空きチャンバと前記第四空きチャンバとの間にはノブ調節装置が設置され、前記第四空きチャンバの右端壁には右方に開口した第五空きチャンバが設置され、前記第五空きチャンバの頂壁には第六空きチャンバが設置され、前記第六空きチャンバの左端壁には第一スライド溝が連通するように設置され、前記第三空きチャンバの頂壁には前記第一スライド溝を貫通している第二スライド溝が連通するように設置され、前記第三空きチャンバと前記第五空きチャンバとの間にはボックス蓋ロック装置が設置され、前記ノブ調節装置は前記第四空きチャンバを含み、前記第四空きチャンバの中には第一スライドブロックがスライドできるように設置され、前記第四空きチャンバにおいて前記第一スライドブロックの後側に位置しているところには補光ライトが固定的に設置され、前記第一スライドブロックと前記第四空きチャンバの底壁とには第一ばねが固定的に連結され、前記第三空きチャンバの底端には第七空きチャンバが設置され、前記第四空きチャンバと第七空きチャンバとの間には第一糸溝が連通するように設置され、前記第三空きチャンバと前記第七空きチャンバとの間には第二糸溝が連通するように設置され、前記第二空きチャンバの中には第一回転軸が回転できるように設置され、前記第一回転軸にはノブと前記ノブの前側に位置している第一歯車とが固定的に設置され、前記第三空きチャンバには第二回転軸が上下に対称的に回転できるように設置され、前記第二回転軸には第二歯車が固定的に設置され、前記第二歯車と前記第一歯車とが常に噛合しており、前記第三空きチャンバの下方に位置している前記第二歯車の前端にはリールが固定的に設置され、前記第七空きチャンバの中には第三回転軸が左右に対称的に回転できるように設置され、前記第三回転軸には中間輪が固定的に設置され、前記第一スライドブロックと前記リールとの間には前記中間輪により鋼線が連結されることを特徴とするポータブル自撮り補光ライト。
【請求項２】
前記ボックス蓋ロック装置は前記ヒンジロッドを含み、前記ヒンジロッドの水平中心には第三歯車が固定的に設置され、前記第五空きチャンバと前記第六空きチャンバとの間には第四回転軸が回転できるように設置され、前記第五空きチャンバの中の前記第四回転軸には前記第三歯車と噛合している第四歯車が固定的に設置され、前記第六空きチャンバの中の前記第四回転軸にはカムが固定的に設置され、前記第一スライド溝の中には第一斜めブロックと第二スライドブロックとがスライドできるように設置され、前記第一斜めブロックと前記第二スライドブロックとの間には第二ばねが固定的に連結され、前記第二スライドブロックと前記カムとが接触しており、前記第一斜めブロックの頂端にはばね復帰機構が固定的に設置され、前記第一斜めブロックの中には下方に開口した凹溝が設置され、前記第一スライド溝の底壁には第三スライド溝が連通するように設置され、前記第三スライド溝の中には第三スライドブロックがスライドできるように設置され、前記第三スライドブロックの頂面には第二斜めブロックが左右に対称的に固定的に設置され、左側の前記第二斜めブロックが前記凹溝の中に挿入されることができ、右側の前記第二斜めブロックの斜面と前記第二スライドブロックとが接触することができ、前記第二スライド溝の中には第四スライドブロックがスライドできるように設置され、前記第四スライドブロックと前記第二スライド溝の頂壁との間には第三ばねが固定的に連結され、前記第四スライドブロックの中には抜き穴が左右に貫通するように設置され、前記第四スライドブロックの底面にはロック歯が固定的に設置され、前記ロック歯が前記第二歯車をロックできることを特徴とする請求項１に記載のポータブル自撮り補光ライト。
【請求項３】
前記押し通電装置は前記ボックス本体を含み、前記ボックス本体の底壁には電池が固定的に設置され、前記電池と前記補光ライトとには通電回路が通電できるように連結され、前記ボックス本体の左端面には前記通電回路を制御するボタンスイッチが固定的に設置されることを特徴とする請求項１に記載のポータブル自撮り補光ライト。
【発明の詳細な説明】
【技術分野】
【０００１】
本発明は補光ライト分野を取り上げて、具体的にはポータブル自撮り補光ライトである。
【背景技術】
【０００２】
伝統的な自撮り補光ライトは挟み式が多く、挟み式の補光ライトを操作するとき、不適切な操作により携帯電話などの設備が壊れやすく、握り式の補光ライトを使用するとき、片手で補光量を調整するのが難しく、同時に一般的な握り式の補光ライトは機能が単一であり、携帯が不便であり、使用頻度が低く、コストパフォーマンスが低い。
従って、上記の問題を解決するために、ポータブル自撮り補光ライトを設計する必要があり、多種類の機能を実現すると同時に、設備は携帯しやすく実用性が強い。
【先行技術文献】
【特許文献】
【０００３】
【特許文献１】中国特許出願公開第１０５７３９２２０号明細書
【発明の概要】
【発明が解決しようとする課題】
【０００４】
本発明の目的はポータブル自撮り補光ライトを提供し、それは上記の現在の技術中の問題を解決できる。
【課題を解決するための手段】
【０００５】
本発明は以下の技術プランを通じて実現する：本発明のポータブル自撮り補光ライトは、ボックス本体を含み、前記ボックス本体の左端にはヒンジロッドが固定的に設置され、前記ヒンジロッドにはヒンジ軸が上下に対称的にヒンジにより連結され、前記ヒンジ軸の左端にはボックス蓋が固定的に設置され、前記ボックス本体の右端には開口している第一空きチャンバが設置され、前記第一空きチャンバの右端壁には第一永久磁石が固定的に設置され、前記ボックス蓋には前記第一永久磁石と引き合っている第二永久磁石が上下に対称的に固定的に設置され、前記ボックス本体の底端には押し通電装置が設置され、前記ボックス蓋の左端端壁には左方に開口した第二空きチャンバが設置され、前記前記第二空きチャンバには第三空きチャンバが連通するように設けられ、前記第二空きチャンバの右端壁の中には第四空きチャンバが設けられ、前記第二空きチャンバと前記第四空きチャンバとの間にはノブ調節装置が設置され、前記第四空きチャンバの右端壁には右方に開口した第五空きチャンバが設置され、前記第五空きチャンバの頂壁には第六空きチャンバが設置され、前記第六空きチャンバの左端壁には第一スライド溝が連通するように設置され、前記第三空きチャンバの頂壁には前記第一スライド溝を貫通している第二スライド溝が連通するように設置され、前記第三空きチャンバと前記第五空きチャンバとの間にはボックス蓋ロック装置が設置され、前記ノブ調節装置は前記第四空きチャンバを含み、前記第四空きチャンバの中には第一スライドブロックがスライドできるように設置され、前記第四空きチャンバにおいて前記第一スライドブロックの後側に位置しているところには補光ライトが固定的に設置され、前記第一スライドブロックと前記第四空きチャンバの底壁とには第一ばねが固定的に連結され、前記第三空きチャンバの底端には第七空きチャンバが設置され、前記第四空きチャンバと第七空きチャンバとの間には第一糸溝が連通するように設置され、前記第三空きチャンバと前記第七空きチャンバとの間には第二糸溝が連通するように設置され、前記第二空きチャンバの中には第一回転軸が回転できるように設置され、前記第一回転軸にはノブと前記ノブの前側に位置している第一歯車とが固定的に設置され、前記第三空きチャンバには第二回転軸が上下に対称的に回転できるように設置され、前記第二回転軸には第二歯車が固定的に設置され、前記第二歯車と前記第一歯車とが常に噛合しており、前記第三空きチャンバの下方に位置している前記第二歯車の前端にはリールが固定的に設置され、前記第七空きチャンバの中には第三回転軸が左右に対称的に回転できるように設置され、前記第三回転軸には中間輪が固定的に設置され、前記第一スライドブロックと前記リールとの間には前記中間輪により鋼線が連結される。
【０００６】
優選的には、前記ボックス蓋ロック装置は前記ヒンジロッドを含み、前記ヒンジロッドの水平中心には第三歯車が固定的に設置され、前記第五空きチャンバと前記第六空きチャンバとの間には第四回転軸が回転できるように設置され、前記第五空きチャンバの中の前記第四回転軸には前記第三歯車と噛合している第四歯車が固定的に設置され、前記第六空きチャンバの中の前記第四回転軸にはカムが固定的に設置され、前記第一スライド溝の中には第一斜めブロックと第二スライドブロックとがスライドできるように設置され、前記第一斜めブロックと前記第二スライドブロックとの間には第二ばねが固定的に連結され、前記第二スライドブロックと前記カムとが接触しており、前記第一斜めブロックの頂端にはばね復帰機構が固定的に設置され、前記第一斜めブロックの中には下方に開口した凹溝が設置され、前記第一スライド溝の底壁には第三スライド溝が連通するように設置され、前記第三スライド溝の中には第三スライドブロックがスライドできるように設置され、前記第三スライドブロックの頂面には第二斜めブロックが左右に対称的に固定的に設置され、左側の前記第二斜めブロックが前記凹溝の中に挿入されることができ、右側の前記第二斜めブロックの斜面と前記第二スライドブロックとが接触することができ、前記第二スライド溝の中には第四スライドブロックがスライドできるように設置され、前記第四スライドブロックと前記第二スライド溝の頂壁との間には第三ばねが固定的に連結され、前記第四スライドブロックの中には抜き穴が左右に貫通するように設置され、前記第四スライドブロックの底面にはロック歯が固定的に設置され、前記ロック歯が前記第二歯車をロックできる。
【０００７】
優選的には、図に示すように、前記押し通電装置は前記ボックス本体を含み、前記ボックス本体の底壁には電池が固定的に設置され、前記電池と前記補光ライトとには通電回路が通電できるように連結され、前記ボックス本体の左端面には前記通電回路を制御するボタンスイッチが固定的に設置される。
【発明の効果】
【０００８】
以上により、本発明の設備は運動エネルギーの利用が巧妙であり、各機構の協働が緊密であり、反応が快速であり、機能が多様であり、同時に、装置の操作が簡単で明白で、使用寿命が長く、実用性が強い。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のポータブル自撮り補光ライトの全体構造概略図
【図２】図２は図１のＡの拡大構造概略図
【図３】図３は図１の底面図
【図４】図４は図１のＢの拡大構造概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示すように、本発明のポータブル自撮り補光ライトは、ボックス本体３２を含み、前記ボックス本体３２の左端にはヒンジロッド３６が固定的に設置され、前記ヒンジロッド３６にはヒンジ軸３７が上下に対称的にヒンジにより連結され、前記ヒンジ軸３７の左端にはボックス蓋６０が固定的に設置され、前記ボックス本体３２の右端には開口している第一空きチャンバ３４が設置され、前記第一空きチャンバ３４の右端壁には第一永久磁石３３が固定的に設置され、前記ボックス蓋６０には前記第一永久磁石３３と引き合っている第二永久磁石１０が上下に対称的に固定的に設置され、前記ボックス本体３２の底端には押し通電装置が設置され、前記ボックス蓋６０の左端端壁には左方に開口した第二空きチャンバ１７が設置され、前記前記第二空きチャンバ１７には第三空きチャンバ１１が連通するように設けられ、前記第二空きチャンバ１７の右端壁の中には第四空きチャンバ４３が設けられ、前記第二空きチャンバ１７と前記第四空きチャンバ４３との間にはノブ調節装置が設置され、前記第四空きチャンバ４３の右端壁には右方に開口した第五空きチャンバ４２が設置され、前記第五空きチャンバ４２の頂壁には第六空きチャンバ３８が設置され、前記第六空きチャンバ３８の左端壁には第一スライド溝４６が連通するように設置され、前記第三空きチャンバ１１の頂壁には前記第一スライド溝４６を貫通している第二スライド溝４９が連通するように設置され、前記第三空きチャンバ１１と前記第五空きチャンバ４２との間にはボックス蓋ロック装置が設置される。
【００１３】
有益的には、前記ノブ調節装置は前記第四空きチャンバ４３を含み、前記第四空きチャンバ４３の中には第一スライドブロック２８がスライドできるように設置され、前記第四空きチャンバ４３において前記第一スライドブロック２８の後側に位置しているところには補光ライト２６が固定的に設置され、前記第一スライドブロック２８と前記第四空きチャンバ４３の底壁とには第一ばね２７が固定的に連結され、前記第三空きチャンバ１１の底端には第七空きチャンバ２４が設置され、前記第四空きチャンバ４３と第七空きチャンバ２４との間には第一糸溝２５が連通するように設置され、前記第三空きチャンバ１１と前記第七空きチャンバ２４との間には第二糸溝２１が連通するように設置され、前記第二空きチャンバ１７の中には第一回転軸１６が回転できるように設置され、前記第一回転軸１６にはノブ１４と前記ノブ１４の前側に位置している第一歯車１５とが固定的に設置され、前記第三空きチャンバ１１には第二回転軸１３が上下に対称的に回転できるように設置され、前記第二回転軸１３には第二歯車１２が固定的に設置され、前記第二歯車１２と前記第一歯車１５とが常に噛合しており、前記第三空きチャンバ１１の下方に位置している前記第二歯車１２の前端にはリール１８が固定的に設置され、前記第七空きチャンバ２４の中には第三回転軸２３が左右に対称的に回転できるように設置され、前記第三回転軸２３には中間輪２２が固定的に設置され、前記第一スライドブロック２８と前記リール１８との間には前記中間輪２２により鋼線２０が連結される。
【００１４】
有益的には、前記ボックス蓋ロック装置は前記ヒンジロッド３６を含み、前記ヒンジロッド３６の水平中心には第三歯車３５が固定的に設置され、前記第五空きチャンバ４２と前記第六空きチャンバ３８との間には第四回転軸４０が回転できるように設置され、前記第五空きチャンバ４２の中の前記第四回転軸４０には前記第三歯車３５と噛合している第四歯車４１が固定的に設置され、前記第六空きチャンバ３８の中の前記第四回転軸４０にはカム３９が固定的に設置され、前記第一スライド溝４６の中には第一斜めブロック５７と第二スライドブロック５５とがスライドできるように設置され、前記第一斜めブロック５７と前記第二スライドブロック５５との間には第二ばね５６が固定的に連結され、前記第二スライドブロック５５と前記カム３９とが接触しており、前記第一斜めブロック５７の頂端にはばね復帰機構５８が固定的に設置され、前記第一斜めブロック５７の中には下方に開口した凹溝５３が設置され、前記第一スライド溝４６の底壁には第三スライド溝５１が連通するように設置され、前記第三スライド溝５１の中には第三スライドブロック５２がスライドできるように設置され、前記第三スライドブロック５２の頂面には第二斜めブロック５４が左右に対称的に固定的に設置され、左側の前記第二斜めブロック５４が前記凹溝５３の中に挿入されることができ、右側の前記第二斜めブロック５４の斜面と前記第二スライドブロック５５とが接触することができ、前記第二スライド溝４９の中には第四スライドブロック４７がスライドできるように設置され、前記第四スライドブロック４７と前記第二スライド溝４９の頂壁との間には第三ばね４４が固定的に連結され、前記第四スライドブロック４７の中には抜き穴４５が左右に貫通するように設置され、前記第四スライドブロック４７の底面にはロック歯４８が固定的に設置され、前記ロック歯４８が前記第二歯車１２をロックできる。
【００１５】
有益的には、図１に示すように、前記押し通電装置は前記ボックス本体３２を含み、前記ボックス本体３２の底壁には電池３１が固定的に設置され、前記電池３１と前記補光ライト２６とには通電回路３０が通電できるように連結され、前記ボックス本体３２の左端面には前記通電回路３０を制御するボタンスイッチ２９が固定的に設置される。
【００１６】
下記に、図１〜４及び上記記述した本出願のポータブル自撮り補光ライトの具体的な構成を参考し本出願のポータブル自撮り補光ライトを詳しく紹介する：
【００１７】
まず、初期状態では、前記ボックス蓋６０と前記ボックス本体３２とが離れており、前記ロック歯４８と前記第二歯車１２とが接触していなく、前記第四スライドブロック４７が前記抜き穴４５の中に挿入されていなく、左側の前記第二斜めブロック５４が前記凹溝５３の中に挿入されており、前記第一斜めブロック５７がスライドできなく、右側の前記第二斜めブロック５４が前記第一スライド溝４６の中に挿入されており、前記第一スライドブロック２８が前記第四空きチャンバ４３の頂端に位置しており、且つ完全に前記補光ライト２６を遮る。
【００１８】
本発明の設備が自撮り補光をするとき、前記ノブ１４が自由に回転でき、前記ノブ１４を回し、前記ノブ１４が回転し前記第二歯車１２を回転連動させ、前記第二歯車１２が回転し前記リール１８を回転連動させ、前記リール１８が前記鋼線２０により前記第一スライドブロック２８を下にスライド連動させ、前記第一スライドブロック２８が下に移動し前記補光ライト２６を遮らなくなり、そして前記ボタンスイッチ２９を押し、前記ボタンスイッチ２９が前記電池３１に前記通電回路３０により前記補光ライト２６に電気を提供させ、前記補光ライト２６が点灯され補光を行い、前記補光ライト２６を点灯する過程で前記ノブ１４を調節し前記補光ライト２６の光の量を変えることができる。
【００１９】
前記設備が自撮り補光しないとき、前記ノブ１４を放した後、前記第一スライドブロック２８が前記第一ばね２７の弾力作用により初期位置に戻り、前記補光ライト２６が遮られ、そして前記ボックス蓋６０を回し前記ボックス本体３２を密封し、前記ボックス蓋６０が前記ヒンジロッド３６を中心に回転するとき、前記第四歯車４１と前記第三歯車３５とが噛合し、前記第四歯車４１が回転し、前記第四歯車４１が前記カム３９を回転連動させ、前記カム３９が回転し前記第二スライドブロック５５を押し、前記第二スライドブロック５５が前記第一斜めブロック５７に向かってスライドし、前記第二ばね５６が絶えずに力を蓄積し、前記ボックス蓋６０が完全に閉じた後、前記第二スライドブロック５５が左側の前記第二斜めブロック５４を押し、左側の前記第二斜めブロック５４が前記第三スライドブロック５２を下にスライド連動させ、前記第三スライドブロック５２が右側の前記第二斜めブロック５４を駆動し前記凹溝５３の中から伸び出させ、この時前記第一斜めブロック５７がスライドでき、力を蓄積した前記第二ばね５６が前記第一斜めブロック５７をプッシュし前記第四スライドブロック４７にスライドさせ、前記第一斜めブロック５７が前記第四スライドブロック４７を押し、前記第一斜めブロック５７が前記抜き穴４５の中に挿入され、前記第四スライドブロック４７が押されて下にスライドし前記ロック歯４８を前記第二歯車１２と噛合させ、前記ノブ調節装置がロックされ、この時前記ボックス蓋６０と前記ボックス本体３２とが密封され携帯しやすい小ボックスを生成する。
【００２０】
以上により、本発明の設備は運動エネルギーの利用が巧妙であり、各機構の協働が緊密であり、反応が快速であり、機能が多様であり、同時に、装置の操作が簡単で明白で、使用寿命が長く、実用性が強い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177211.tif 000003
【図２】
2020177211.tif 000004
【図３】
2020177211.tif 000005
【図４】
2020177211.tif 000006
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
正面視で、ボックス本体を含み、前記ボックス本体の左端にはヒンジロッドが固定的に設置され、前記ヒンジロッドにはヒンジ軸が上下に対称的にヒンジにより連結され、前記ヒンジ軸の左端にはボックス蓋が固定的に設置され、前記ボックス本体の右端には開口している第一空きチャンバが設置され、前記第一空きチャンバの右端壁には第一永久磁石が固定的に設置され、前記ボックス蓋には前記第一永久磁石と引き合っている第二永久磁石が上下に対称的に固定的に設置され、前記ボックス本体の底端には押し通電装置が設置され、前記ボックス蓋の左端端壁には左方に開口した第二空きチャンバが設置され、前記前記第二空きチャンバには第三空きチャンバが連通するように設けられ、前記第二空きチャンバの右端壁の中には第四空きチャンバが設けられ、前記第二空きチャンバと前記第四空きチャンバとの間にはノブ調節装置が設置され、前記第四空きチャンバの右端壁には右方に開口した第五空きチャンバが設置され、前記第五空きチャンバの頂壁には第六空きチャンバが設置され、前記第六空きチャンバの左端壁には第一スライド溝が連通するように設置され、前記第三空きチャンバの頂壁には前記第一スライド溝を貫通している第二スライド溝が連通するように設置され、前記第三空きチャンバと前記第五空きチャンバとの間にはボックス蓋ロック装置が設置され、前記ノブ調節装置は前記第四空きチャンバの中にスライドできるように設置された第一スライドブロックを含み、前記第四空きチャンバにおいて前記第一スライドブロックの後側に位置しているところには補光ライトが固定的に設置され、前記第一スライドブロックと前記第四空きチャンバの底壁とには第一ばねが固定的に連結され、前記第三空きチャンバの底端には第七空きチャンバが設置され、前記第四空きチャンバと第七空きチャンバとの間には第一糸溝が連通するように設置され、前記第三空きチャンバと前記第七空きチャンバとの間には第二糸溝が連通するように設置され、前記第二空きチャンバの中には第一回転軸が回転できるように設置され、前記第一回転軸にはノブと前記ノブの前側に位置している第一歯車とが固定的に設置され、前記第三空きチャンバには第二回転軸が上下に対称的に回転できるように設置され、前記第二回転軸には第二歯車が固定的に設置され、前記第二歯車と前記第一歯車とが常に噛合しており、前記第三空きチャンバの下方に位置している前記第二歯車の前端にはリールが固定的に設置され、前記第七空きチャンバの中には第三回転軸が左右に対称的に回転できるように設置され、前記第三回転軸には中間輪が固定的に設置され、前記第一スライドブロックと前記リールとの間には前記中間輪により鋼線が連結され、
前記ボックス蓋ロック装置は前記ヒンジロッドを含み、前記ヒンジロッドの水平中心には第三歯車が固定的に設置され、前記第五空きチャンバと前記第六空きチャンバとの間には第四回転軸が回転できるように設置され、前記第五空きチャンバの中の前記第四回転軸には前記第三歯車と噛合している第四歯車が固定的に設置され、前記第六空きチャンバの中の前記第四回転軸にはカムが固定的に設置され、前記第一スライド溝の中には第一斜めブロックと第二スライドブロックとがスライドできるように設置され、前記第一斜めブロックと前記第二スライドブロックとの間には第二ばねが固定的に連結され、前記第二スライドブロックと前記カムとが接触しており、前記第一斜めブロックの頂端にはばね復帰機構が固定的に設置され、前記第一斜めブロックの中には下方に開口した凹溝が設置され、前記第一スライド溝の底壁には第三スライド溝が連通するように設置され、前記第三スライド溝の中には第三スライドブロックがスライドできるように設置され、前記第三スライドブロックの頂面には第二斜めブロックが左右に対称的に固定的に設置され、左側の前記第二斜めブロックが前記凹溝の中に挿入されることができ、右側の前記第二斜めブロックの斜面と前記第二スライドブロックとが接触することができ、前記第二スライド溝の中には第四スライドブロックがスライドできるように設置され、前記第四スライドブロックと前記第二スライド溝の頂壁との間には第三ばねが固定的に連結され、前記第四スライドブロックの中には抜き穴が左右に貫通するように設置され、前記第四スライドブロックの底面にはロック歯が固定的に設置され、前記ロック歯が前記第二歯車をロックでき、
前記押し通電装置は前記ボックス本体の底壁に固定的に設置された電池を含み、前記電池と前記補光ライトとには通電回路が通電できるように連結され、前記ボックス本体の左端面には前記通電回路を制御するボタンスイッチが固定的に設置されることを特徴とするポータブル自撮り補光ライト。
【手続補正２】
【補正対象書類名】明細書
【補正対象項目名】全文
【補正方法】変更
【補正の内容】
【発明の詳細な説明】
【技術分野】
【０００１】
本発明は補光ライト分野を取り上げて、具体的にはポータブル自撮り補光ライトである。
【背景技術】
【０００２】
伝統的な自撮り補光ライトは挟み式が多く、挟み式の補光ライトを操作するとき、不適切な操作により携帯電話などの設備が壊れやすく、握り式の補光ライトを使用するとき、片手で補光量を調整するのが難しく、同時に一般的な握り式の補光ライトは機能が単一であり、携帯が不便であり、使用頻度が低く、コストパフォーマンスが低い。
従って、上記の問題を解決するために、ポータブル自撮り補光ライトを設計する必要があり、多種類の機能を実現すると同時に、設備は携帯しやすく実用性が強い。
【先行技術文献】
【特許文献】
【０００３】
【特許文献１】中国特許出願公開第１０５７３９２２０号明細書
【発明の概要】
【発明が解決しようとする課題】
【０００４】
本発明の目的はポータブル自撮り補光ライトを提供し、それは上記の現在の技術中の問題を解決できる。
【課題を解決するための手段】
【０００５】
本発明は以下の技術プランを通じて実現する：本発明のポータブル自撮り補光ライトは、ボックス本体を含み、前記ボックス本体の左端にはヒンジロッドが固定的に設置され、前記ヒンジロッドにはヒンジ軸が上下に対称的にヒンジにより連結され、前記ヒンジ軸の左端にはボックス蓋が固定的に設置され、前記ボックス本体の右端には開口している第一空きチャンバが設置され、前記第一空きチャンバの右端壁には第一永久磁石が固定的に設置され、前記ボックス蓋には前記第一永久磁石と引き合っている第二永久磁石が上下に対称的に固定的に設置され、前記ボックス本体の底端には押し通電装置が設置され、前記ボックス蓋の左端端壁には左方に開口した第二空きチャンバが設置され、前記前記第二空きチャンバには第三空きチャンバが連通するように設けられ、前記第二空きチャンバの右端壁の中には第四空きチャンバが設けられ、前記第二空きチャンバと前記第四空きチャンバとの間にはノブ調節装置が設置され、前記第四空きチャンバの右端壁には右方に開口した第五空きチャンバが設置され、前記第五空きチャンバの頂壁には第六空きチャンバが設置され、前記第六空きチャンバの左端壁には第一スライド溝が連通するように設置され、前記第三空きチャンバの頂壁には前記第一スライド溝を貫通している第二スライド溝が連通するように設置され、前記第三空きチャンバと前記第五空きチャンバとの間にはボックス蓋ロック装置が設置され、前記ノブ調節装置は前記第四空きチャンバの中にスライドできるように設置された第一スライドブロックを含み、前記第四空きチャンバにおいて前記第一スライドブロックの後側に位置しているところには補光ライトが固定的に設置され、前記第一スライドブロックと前記第四空きチャンバの底壁とには第一ばねが固定的に連結され、前記第三空きチャンバの底端には第七空きチャンバが設置され、前記第四空きチャンバと第七空きチャンバとの間には第一糸溝が連通するように設置され、前記第三空きチャンバと前記第七空きチャンバとの間には第二糸溝が連通するように設置され、前記第二空きチャンバの中には第一回転軸が回転できるように設置され、前記第一回転軸にはノブと前記ノブの前側に位置している第一歯車とが固定的に設置され、前記第三空きチャンバには第二回転軸が上下に対称的に回転できるように設置され、前記第二回転軸には第二歯車が固定的に設置され、前記第二歯車と前記第一歯車とが常に噛合しており、前記第三空きチャンバの下方に位置している前記第二歯車の前端にはリールが固定的に設置され、前記第七空きチャンバの中には第三回転軸が左右に対称的に回転できるように設置され、前記第三回転軸には中間輪が固定的に設置され、前記第一スライドブロックと前記リールとの間には前記中間輪により鋼線が連結される。
【０００６】
優選的には、前記ボックス蓋ロック装置は前記ヒンジロッドを含み、前記ヒンジロッドの水平中心には第三歯車が固定的に設置され、前記第五空きチャンバと前記第六空きチャンバとの間には第四回転軸が回転できるように設置され、前記第五空きチャンバの中の前記第四回転軸には前記第三歯車と噛合している第四歯車が固定的に設置され、前記第六空きチャンバの中の前記第四回転軸にはカムが固定的に設置され、前記第一スライド溝の中には第一斜めブロックと第二スライドブロックとがスライドできるように設置され、前記第一斜めブロックと前記第二スライドブロックとの間には第二ばねが固定的に連結され、前記第二スライドブロックと前記カムとが接触しており、前記第一斜めブロックの頂端にはばね復帰機構が固定的に設置され、前記第一斜めブロックの中には下方に開口した凹溝が設置され、前記第一スライド溝の底壁には第三スライド溝が連通するように設置され、前記第三スライド溝の中には第三スライドブロックがスライドできるように設置され、前記第三スライドブロックの頂面には第二斜めブロックが左右に対称的に固定的に設置され、左側の前記第二斜めブロックが前記凹溝の中に挿入されることができ、右側の前記第二斜めブロックの斜面と前記第二スライドブロックとが接触することができ、前記第二スライド溝の中には第四スライドブロックがスライドできるように設置され、前記第四スライドブロックと前記第二スライド溝の頂壁との間には第三ばねが固定的に連結され、前記第四スライドブロックの中には抜き穴が左右に貫通するように設置され、前記第四スライドブロックの底面にはロック歯が固定的に設置され、前記ロック歯が前記第二歯車をロックできる。
【０００７】
優選的には、図に示すように、前記押し通電装置は前記ボックス本体の底壁に固定的に設置された電池を含み、前記電池と前記補光ライトとには通電回路が通電できるように連結され、前記ボックス本体の左端面には前記通電回路を制御するボタンスイッチが固定的に設置される。
【発明の効果】
【０００８】
以上により、本発明の設備は運動エネルギーの利用が巧妙であり、各機構の協働が緊密であり、反応が快速であり、機能が多様であり、同時に、装置の操作が簡単で明白で、使用寿命が長く、実用性が強い。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のポータブル自撮り補光ライトの全体構造概略図
【図２】図２は図１のＡの拡大構造概略図
【図３】図３は図１の底面図
【図４】図４は図１のＢの拡大構造概略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４に示すように、本発明のポータブル自撮り補光ライトは、ボックス本体３２を含み、前記ボックス本体３２の左端にはヒンジロッド３６が固定的に設置され、前記ヒンジロッド３６にはヒンジ軸３７が上下に対称的にヒンジにより連結され、前記ヒンジ軸３７の左端にはボックス蓋６０が固定的に設置され、前記ボックス本体３２の右端には開口している第一空きチャンバ３４が設置され、前記第一空きチャンバ３４の右端壁には第一永久磁石３３が固定的に設置され、前記ボックス蓋６０には前記第一永久磁石３３と引き合っている第二永久磁石１０が上下に対称的に固定的に設置され、前記ボックス本体３２の底端には押し通電装置が設置され、前記ボックス蓋６０の左端端壁には左方に開口した第二空きチャンバ１７が設置され、前記前記第二空きチャンバ１７には第三空きチャンバ１１が連通するように設けられ、前記第二空きチャンバ１７の右端壁の中には第四空きチャンバ４３が設けられ、前記第二空きチャンバ１７と前記第四空きチャンバ４３との間にはノブ調節装置が設置され、前記第四空きチャンバ４３の右端壁には右方に開口した第五空きチャンバ４２が設置され、前記第五空きチャンバ４２の頂壁には第六空きチャンバ３８が設置され、前記第六空きチャンバ３８の左端壁には第一スライド溝４６が連通するように設置され、前記第三空きチャンバ１１の頂壁には前記第一スライド溝４６を貫通している第二スライド溝４９が連通するように設置され、前記第三空きチャンバ１１と前記第五空きチャンバ４２との間にはボックス蓋ロック装置が設置される。
【００１３】
有益的には、前記ノブ調節装置は前記第四空きチャンバ４３の中にスライドできるように設置された第一スライドブロック２８を含み、前記第四空きチャンバ４３において前記第一スライドブロック２８の後側に位置しているところには補光ライト２６が固定的に設置され、前記第一スライドブロック２８と前記第四空きチャンバ４３の底壁とには第一ばね２７が固定的に連結され、前記第三空きチャンバ１１の底端には第七空きチャンバ２４が設置され、前記第四空きチャンバ４３と第七空きチャンバ２４との間には第一糸溝２５が連通するように設置され、前記第三空きチャンバ１１と前記第七空きチャンバ２４との間には第二糸溝２１が連通するように設置され、前記第二空きチャンバ１７の中には第一回転軸１６が回転できるように設置され、前記第一回転軸１６にはノブ１４と前記ノブ１４の前側に位置している第一歯車１５とが固定的に設置され、前記第三空きチャンバ１１には第二回転軸１３が上下に対称的に回転できるように設置され、前記第二回転軸１３には第二歯車１２が固定的に設置され、前記第二歯車１２と前記第一歯車１５とが常に噛合しており、前記第三空きチャンバ１１の下方に位置している前記第二歯車１２の前端にはリール１８が固定的に設置され、前記第七空きチャンバ２４の中には第三回転軸２３が左右に対称的に回転できるように設置され、前記第三回転軸２３には中間輪２２が固定的に設置され、前記第一スライドブロック２８と前記リール１８との間には前記中間輪２２により鋼線２０が連結される。
【００１４】
有益的には、前記ボックス蓋ロック装置は前記ヒンジロッド３６を含み、前記ヒンジロッド３６の水平中心には第三歯車３５が固定的に設置され、前記第五空きチャンバ４２と前記第六空きチャンバ３８との間には第四回転軸４０が回転できるように設置され、前記第五空きチャンバ４２の中の前記第四回転軸４０には前記第三歯車３５と噛合している第四歯車４１が固定的に設置され、前記第六空きチャンバ３８の中の前記第四回転軸４０にはカム３９が固定的に設置され、前記第一スライド溝４６の中には第一斜めブロック５７と第二スライドブロック５５とがスライドできるように設置され、前記第一斜めブロック５７と前記第二スライドブロック５５との間には第二ばね５６が固定的に連結され、前記第二スライドブロック５５と前記カム３９とが接触しており、前記第一斜めブロック５７の頂端にはばね復帰機構５８が固定的に設置され、前記第一斜めブロック５７の中には下方に開口した凹溝５３が設置され、前記第一スライド溝４６の底壁には第三スライド溝５１が連通するように設置され、前記第三スライド溝５１の中には第三スライドブロック５２がスライドできるように設置され、前記第三スライドブロック５２の頂面には第二斜めブロック５４が左右に対称的に固定的に設置され、左側の前記第二斜めブロック５４が前記凹溝５３の中に挿入されることができ、右側の前記第二斜めブロック５４の斜面と前記第二スライドブロック５５とが接触することができ、前記第二スライド溝４９の中には第四スライドブロック４７がスライドできるように設置され、前記第四スライドブロック４７と前記第二スライド溝４９の頂壁との間には第三ばね４４が固定的に連結され、前記第四スライドブロック４７の中には抜き穴４５が左右に貫通するように設置され、前記第四スライドブロック４７の底面にはロック歯４８が固定的に設置され、前記ロック歯４８が前記第二歯車１２をロックできる。
【００１５】
有益的には、図１に示すように、前記押し通電装置は前記ボックス本体３２の底壁に固定的に設置された電池３１を含み、前記電池３１と前記補光ライト２６とには通電回路３０が通電できるように連結され、前記ボックス本体３２の左端面には前記通電回路３０を制御するボタンスイッチ２９が固定的に設置される。
【００１６】
下記に、図１〜４及び上記記述した本出願のポータブル自撮り補光ライトの具体的な構成を参考し本出願のポータブル自撮り補光ライトを詳しく紹介する：
【００１７】
まず、初期状態では、前記ボックス蓋６０と前記ボックス本体３２とが離れており、前記ロック歯４８と前記第二歯車１２とが接触していなく、前記第四スライドブロック４７が前記抜き穴４５の中に挿入されていなく、左側の前記第二斜めブロック５４が前記凹溝５３の中に挿入されており、前記第一斜めブロック５７がスライドできなく、右側の前記第二斜めブロック５４が前記第一スライド溝４６の中に挿入されており、前記第一スライドブロック２８が前記第四空きチャンバ４３の頂端に位置しており、且つ完全に前記補光ライト２６を遮る。
【００１８】
本発明の設備が自撮り補光をするとき、前記ノブ１４が自由に回転でき、前記ノブ１４を回し、前記ノブ１４が回転し前記第二歯車１２を回転連動させ、前記第二歯車１２が回転し前記リール１８を回転連動させ、前記リール１８が前記鋼線２０により前記第一スライドブロック２８を下にスライド連動させ、前記第一スライドブロック２８が下に移動し前記補光ライト２６を遮らなくなり、そして前記ボタンスイッチ２９を押し、前記ボタンスイッチ２９が前記電池３１に前記通電回路３０により前記補光ライト２６に電気を提供させ、前記補光ライト２６が点灯され補光を行い、前記補光ライト２６を点灯する過程で前記ノブ１４を調節し前記補光ライト２６の光の量を変えることができる。
【００１９】
前記設備が自撮り補光しないとき、前記ノブ１４を放した後、前記第一スライドブロック２８が前記第一ばね２７の弾力作用により初期位置に戻り、前記補光ライト２６が遮られ、そして前記ボックス蓋６０を回し前記ボックス本体３２を密封し、前記ボックス蓋６０が前記ヒンジロッド３６を中心に回転するとき、前記第四歯車４１と前記第三歯車３５とが噛合し、前記第四歯車４１が回転し、前記第四歯車４１が前記カム３９を回転連動させ、前記カム３９が回転し前記第二スライドブロック５５を押し、前記第二スライドブロック５５が前記第一斜めブロック５７に向かってスライドし、前記第二ばね５６が絶えずに力を蓄積し、前記ボックス蓋６０が完全に閉じた後、前記第二スライドブロック５５が左側の前記第二斜めブロック５４を押し、左側の前記第二斜めブロック５４が前記第三スライドブロック５２を下にスライド連動させ、前記第三スライドブロック５２が右側の前記第二斜めブロック５４を駆動し前記凹溝５３の中から伸び出させ、この時前記第一斜めブロック５７がスライドでき、力を蓄積した前記第二ばね５６が前記第一斜めブロック５７をプッシュし前記第四スライドブロック４７にスライドさせ、前記第一斜めブロック５７が前記第四スライドブロック４７を押し、前記第一斜めブロック５７が前記抜き穴４５の中に挿入され、前記第四スライドブロック４７が押されて下にスライドし前記ロック歯４８を前記第二歯車１２と噛合させ、前記ノブ調節装置がロックされ、この時前記ボックス蓋６０と前記ボックス本体３２とが密封され携帯しやすい小ボックスを生成する。
【００２０】
以上により、本発明の設備は運動エネルギーの利用が巧妙であり、各機構の協働が緊密であり、反応が快速であり、機能が多様であり、同時に、装置の操作が簡単で明白で、使用寿命が長く、実用性が強い。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。